(57)【特許請求の範囲】
【請求項１】
物体側から順に、負の第１レンズ群と、絞りを有する正の第２レンズ群とからなり、フォーカシングに際し、第２レンズ群が光軸方向に移動する広角レンズ系において、次の条件式（１）、（２）、（３）を満足し、前記第１レンズ群は、像側に凸面を向けた接合面を有する接合レンズを備えることを特徴とする広角レンズ系。
（１）０．５＜ＴＬ２／ｆ＜１．０
（２）−４＜ｆ１／ｆ２＜−２
（３）０．２＜（ｎ１−ｎ２）・ｆ／Ｒｃ＜１．０
但し、
ＴＬ２：第２レンズ群の最も物体側のレンズの物体側の面から最も像側のレンズの像側の面までの距離、
ｆ：無限遠撮影時における全系の焦点距離、
ｆ１：第１レンズ群の焦点距離、
ｆ２：第２レンズ群の焦点距離、
ｎ１：接合面の物体側に位置するレンズの屈折率、
ｎ２：接合面の像側に位置するレンズの屈折率、
Ｒｃ：第１レンズ群中の接合面の曲率半径。
【請求項２】
請求項１記載の広角レンズ系において、次の条件式（４）を満足する広角レンズ系。
（４）−６＜ｆ１／ｆ＜−３
【請求項３】
請求項１または２記載の広角レンズ系において、次の条件式（５）を満足する広角レンズ系。
（５）１．３＜ＴＬ１／ＴＬ２＜２．８
但し、
ＴＬ１：第１レンズ群の最も物体側のレンズの物体側の面から最も像側のレンズの像側の面までの距離。
【発明の詳細な説明】
【０００１】
【技術分野】
本発明は、一眼レフカメラに使用される広角レンズ系に関する。
【０００２】
【従来技術及びその問題点】
一眼レフカメラは、レンズと像面との間にミラーが配置されている関係上、レンズ系は一定の長さ以上のバックフォーカスを確保する必要がある。このため、広角レンズ系では、焦点距離よりもバックフォーカスが長いレトロフォーカスタイプが一般的に採用されている。レトロフォーカスタイプは、物体側から順に、負の屈折力の第１レンズ群と、正の屈折力の第２レンズ群とからなり、屈折力配置が絞りを挟んで非対称型であるため、球面収差、コマ収差、歪曲収差、非点収差等の諸収差が大きい傾向がある。このような諸収差を補正するにはレンズ枚数を多くする必要があるが、レトロフォーカスタイプでは、通常、レンズ系全体を繰り出してフォーカシングを行うため、レンズ枚数を増やすと移動させるべきレンズ群の重量が増加しＡＦには不利となる。特に、ブローニーフィルムを使う中判カメラ、大型カメラ用の広角レンズ系ではこの問題はきわめて重要である。
【０００３】
従って、ＡＦ化のためには一部のレンズ群を移動させてフォーカシングするタイプを採用することが好ましく、中でも、フォーカシングに際し、全長が一定で扱いやすい等の利点があるリアフォーカス式が有用である。しかし、リアフォーカス式では、レンズ群全体を繰り出すタイプと比べ、フォーカシングに伴う収差の変動が大きく、特にレトロフォーカスタイプではこの傾向が顕著である。
【０００４】
【発明の目的】
本発明は、レトロフォーカスタイプのリアフォーカス式広角レンズ系であって、撮影距離全般に渡り高い結像性能を持つ撮影半画角４４゜程度、Ｆナンバー３．５程度の広角レンズ系を提供することを目的とする。
【０００５】
【発明の概要】
本発明は、物体側から順に、負の第１レンズ群と、絞りを有する正の第２レンズ群とからなり、フォーカシングに際し、第２レンズ群が光軸方向に移動する広角レンズ系において、次の条件式（１）、（２）、（３）を満足し、第１レンズ群中には、像側に凸面を向けた接合面を有する接合レンズを設けることを特徴としている。
（１）０．５＜ＴＬ２／ｆ＜１．０
（２）−４＜ｆ１／ｆ２＜−２
（３）０．２＜（ｎ１−ｎ２）・ｆ／Ｒｃ＜１．０
但し、
ＴＬ２：第２レンズ群の最も物体側のレンズの物体側の面から最も像側のレンズの像側の面までの距離、
ｆ：無限遠撮影時における全系の焦点距離、
ｆ１：第１レンズ群の焦点距離、
ｆ２：第２レンズ群の焦点距離、
ｎ１：接合面の物体側に位置するレンズの屈折率、
ｎ２：接合面の像側に位置するレンズの屈折率、
Ｒｃ：第１レンズ群中の接合面の曲率半径、
である。
【０００６】
本発明の広角レンズ系は、次の条件式（４）を満足することが好ましい。
（４）−６＜ｆ１／ｆ＜−３
【０００７】
本発明の広角レンズ系は、次の条件式（５）を満足することが好ましい。
（５）１．３＜ＴＬ１／ＴＬ２＜２．８
但し、
ＴＬ１：第１レンズ群の最も物体側のレンズの物体側の面から最も像側のレンズの像側の面までの距離、
である。
【０００８】
【発明の実施の形態】
本発明による広角レンズ系は、レトロフォーカスタイプのリアフォーカス式広角レンズ系であり、図１、図５、図９、図１３に示すように、物体側から順に、負の第１レンズ群１０と、絞りＳを有する正の第２レンズ群２０とからなり、フォーカシングに際し、第２レンズ群２０が移動する。絞りＳは第２レンズ群２０の中に位置している。
【０００９】
条件式（１）は、第２レンズ群の全長（光軸上の距離）を規定する。この条件を満足することにより、フォーカシング重量を抑えるとともに諸収差を良好に保つことができる。条件式（１）の上限を越えて第２レンズ群の全長が長すぎると、レンズ重量だけでなく、特に鏡枠重量の増加を招く。条件式（１）の下限を越えて第２レンズ群の全長が短かすぎると、第２レンズ群単独での収差補正、特にコマ収差と倍率色収差が悪化する。
【００１０】
条件式（２）は、第１レンズ群と第２レンズ群のパワーバランスに関するものである。条件式（２）の上限を越えて第１レンズ群のパワーが強すぎると、前玉径（該第１レンズ群の径）は小さくなるが、コマ収差、像面湾曲、非点収差が悪化する。条件式（２）の下限を越えて第２レンズ群のパワーが強すぎると、前玉径の増大、球面収差の悪化、及びバックフォーカスの不足を招く。
【００１１】
条件式（３）は、第１レンズ群中に接合レンズを設置する場合の該接合面のパワーについて規定する。条件式（３）の上限を越えて接合面のパワーが強くなると、第１レンズ群のパワーを上昇させることや第１レンズ群の全長を短縮することができるが、各面での偏角の増加に伴い、大きな収差の打ち消しとなり高次収差が発生しやすくなる。条件式（３）の下限を越えて接合面のパワーが弱くなると、収差は良好であるが第１レンズ群の全長が長大化し、第２レンズ群の移動量不足やバックフォーカスの不足を招く。
【００１２】
条件式（４）は、第１レンズ群のパワーに関するものである。条件式（４）の上限を越えて第１レンズ群のパワーが強すぎると、コマ収差、非点収差、歪曲収差が悪化する。また、フォーカシングに伴う像面湾曲の変動も大きくなりすぎる。条件式（４）の下限を越えて第１レンズ群のパワーが弱すぎると、バックフォーカスが不足する。
【００１３】
条件式（５）は、第１レンズ群の全長と第２レンズ群の全長の比を示す。条件式（５）の上限を越えて第２レンズ群に比べて第１レンズ群が長すぎると、第１レンズ群が第２レンズ群内の絞りから遠くなり、非点収差や歪曲収差は良好だが、前玉径が増大化する。条件式（５）の下限を越えて第１レンズ群が短すぎると、前玉径は小さくなるが、諸収差が悪化する。また、バックフォーカスが不足する。
【００１４】
次に具体的な実施例を示す。諸収差図中、球面収差で表される色収差（軸上色収差）図及び倍率色収差図中のｄ線、ｇ線、Ｃ線はそれぞれの波長に対する収差であり、Ｓはサジタル、Ｍはメリディオナル、ｙは像高である。また、表中のＦNOはＦナンバー、ｆは全系の焦点距離、ｍは横倍率、Ｗは半画角（゜）、ｆBはバックフォーカス、ｒは曲率半径、ｄはレンズ厚またはレンズ間隔、Ｎdはｄ線の屈折率、νはアッベ数を示す。また、回転対称非球面は次式で定義される。
x=ch2/[1+[1-(1+K)c2h2]1/2]+A4h4+A6h6+A8h8+A10h10+A12h12・・・
（但し、cは曲率（１／ｒ）、ｈは光軸からの高さ、Ｋは円錐係数、Ａ４、Ａ６、Ａ８、Ａ１０・・・・・は各次数の非球面係数）
【００１５】
［実施例１］  図１は実施例１のレンズ構成を示し、図２ないし図４はそれぞれ、無限遠撮影時、有限距離撮影時（−１／４０倍）、最短距離撮影時（−１／５倍）での諸収差を示す。表１はその数値データである。第１レンズ群１０は、物体側から順に、負メニスカスレンズ、負メニスカスレンズ、正レンズ、正レンズと負レンズの接合レンズ、及び正レンズからなり、第２レンズ群２０は、物体側から順に、正レンズと負レンズの接合レンズ、負レンズ、及び正レンズからなる。絞りＳは、第２レンズ群中の接合レンズの像側に位置している。なお、第１レンズ群１０中の像側の負メニスカスレンズの像側の非球面は、ガラスレンズ上に形成した合成樹脂層によって構成されている。
【００１６】
【表１】
0003595476.tif 000002
0003595476.tif 000003
【００１７】
［実施例２］  図５は実施例２のレンズ構成を示し、図６ないし図８はそれぞれ、無限遠撮影時、有限距離撮影時（−１／４０倍）、最短距離撮影時（−１／５倍）での諸収差を示す。での諸収差を示す。表２はその数値データである。基本的なレンズ構成は実施例１と同様である。
【００１８】
【表２】
0003595476.tif 000004
0003595476.tif 000005
【００１９】
［実施例３］  図９は実施例３のレンズ構成を示し、図１０ないし図１２はそれぞれ、無限遠撮影時、有限距離撮影時（−１／４０倍）、最短距離撮影時（−１／５倍）での諸収差を示す。表３はその数値データである。基本的なレンズ構成は実施例１と同様である。ただし、第１レンズ群１０の像側の負メニスカスレンズの像側の非球面は非球面加工によって形成されている。
【００２０】
【表３】
0003595476.tif 000006
0003595476.tif 000007
【００２１】
［実施例４］  図１３は実施例４のレンズ構成を示し、図１４ないし図１６はそれぞれ、無限遠撮影時、有限距離撮影時（−１／４０倍）、最短距離撮影時（−１／５倍）での諸収差を示す。表４はその数値データである。基本的なレンズ構成は実施例１と同様である。
【００２２】
【表４】
0003595476.tif 000008
0003595476.tif 000009
【００２３】
各実施例の各条件式に対する値を表５に示す。
0003595476.tif 000010
各実施例は各条件式を満足しており、諸収差も比較的よく補正されている。
【００２４】
【発明の効果】
本発明によれば、レトロフォーカスタイプのリアフォーカス式広角レンズ系であって、撮影距離全般に渡り高い結像性能を持つ撮影半画角４４゜程度、Ｆナンバー３．５程度の広角レンズ系を得ることができる。
【図面の簡単な説明】
【図１】本発明による広角レンズ系の実施例１の無限遠撮影時におけるレンズ構成図である。
【図２】図１のレンズ構成の諸収差図である。
【図３】実施例１のレンズ構成の有限距離撮影時（−１／４０倍）における諸収差図である。
【図４】実施例１のレンズ構成の最短距離撮影時（−１／５倍）における諸収差図である。
【図５】本発明による広角レンズ系の実施例２の無限遠撮影時におけるレンズ構成図である。
【図６】図５のレンズ構成の諸収差図である。
【図７】実施例２のレンズ構成の有限距離撮影時（−１／４０倍）における諸収差図である。
【図８】実施例２のレンズ構成の最短距離撮影時（−１／５倍）における諸収差図である。
【図９】本発明による広角レンズ系の実施例３の無限遠撮影時におけるレンズ構成図である。
【図１０】図９のレンズ構成の諸収差図である。
【図１１】実施例３のレンズ構成の有限距離撮影時（−１／４０倍）における諸収差図である。
【図１２】実施例３のレンズ構成の最短距離撮影時（−１／５倍）における諸収差図である。
【図１３】本発明による広角レンズ系の実施例４の無限遠撮影時におけるレンズ構成図である。
【図１４】図１３のレンズ構成の諸収差図である。
【図１５】実施例４のレンズ構成の有限距離撮影時（−１／４０倍）における諸収差図である。
【図１６】実施例４のレンズ構成の最短距離撮影時（−１／５倍）における諸収差図である。
【図１】
0003595476.tif 000011
【図２】
0003595476.tif 000012
【図３】
0003595476.tif 000013
【図４】
0003595476.tif 000014
【図５】
0003595476.tif 000015
【図６】
0003595476.tif 000016
【図７】
0003595476.tif 000017
【図８】
0003595476.tif 000018
【図９】
0003595476.tif 000019
【図１０】
0003595476.tif 000020
【図１１】
0003595476.tif 000021
【図１２】
0003595476.tif 000022
【図１３】
0003595476.tif 000023
【図１４】
0003595476.tif 000024
【図１５】
0003595476.tif 000025
【図１６】
0003595476.tif 000026